(57)【要約】      （修正有）【課題】リード線により接続する付属機器を備える各種携帯電子機器や電気器具において、携帯性の向上と携帯時にリード線の絡まりつき防止したスイッチ付きリード線巻き取り装置を提供する。【解決手段】各種携帯電子機器や電気器具と、付属機器を接続するリード線上にリード線巻き取りリール、異なった巻き取り円周半径を持つ二段構造あるいは２個の共同回転維持溝を備えたリード線巻き取りリールを設置し、リール通電接点と、リード線巻き取り渦巻きバネとリール回転ストッパーを装着し、コントロールするスイッチを備え、巻き取りリールの回転中心軸を保持しつつ前記リード線が絡み合うことのないように、一端を各種付属機器収納に他端を前記電子機器や電気器具本体に収納する際に好適な形状のリード線ガイドを設置した。【選択図】          図１
2004214993.tif 000002
【特許請求の範囲】
【請求項１】
各種携帯電子機器や電気器具と、イヤフォンやマイク、モータ駆動部などの付属機器を接続するリード線上に設置して前記携帯電子機器や電気器具を制御するための駆動電源、電源スイッチ、ボリュームコントロール及び各種機能操作を行うとともに前記リード線巻を装収納することの出来る装置であって、
両側に円盤状の鍔を持つ捲胴に同一方向に巻装した前記各種携帯電子機器や電気器具に接続したリード線と、前記付属機器に接続した二本の等長リード線捲胴側端部の分配端子を、一方の鍔外側面上に設置した捲胴の回転中心軸と同心円帯状のリード線分配端子数に対応する異なった直径の金属帯にそれぞれ接続した通電板と、
前記捲胴内に設置され、常にはリード線を捲胴に巻き取る回転方向に作用するように最外端を捲胴内周壁に固定した渦巻きバネと、
前記捲胴を二本のリード線延出時に任意の位置で係止あるいは開放するためするために一方の鍔外側に設置したフックと、
で構成するリード線巻き取りリールと、
そのリード線巻き取りリールを自在に回動するように保持し、前記渦巻きバネ中心部を固定した軸と、
その軸両端にリード線巻き取りリールの鍔と平行に装着したリールケースと、
その一方のリールケース内側に設置され前記鍔のフックに勘合し前記リード線巻き取りリールを任意の回転位置で係止あるいは開放するオートロック機構のストッパーと、
そのリールケース外殻に設置されリード線巻き取り、あるいは引き出し時に前記リード線の絡みつきを防止するリード線ガイド孔を持ち、前記電子機器や電気器具本体に収納する際着脱に好適な外形の二個のリード線ガイドと、
そのリールケース内側に設置され前記鍔の同心円帯状の通電板に接触し通電する前記通電板の数に応じた接点と、
その接点から得られるリード線の電気信号を制御し、電源、ボリューム及び各種機能操作をコントロールする制御スイッチを備える制御スイッチ付きリード線巻き取り装置と、
その制御スイッチ付きリード線巻き取り装置リールケースの外形に合致適合し着脱自在な勘合機構を有する各種携帯電子機器や電気器具本体と、
を含み、
収納携帯時には、各種携帯電子機器や電気器具本体と一体化したリード線巻き取りリールケース内の捲胴にリード線を巻き取り巻装することによりリード線の絡みつきを防止し、使用時には本体からリード線巻き取りリールケースを引き出すだけで瞬時に使用可能となり、しかもリード線巻き取りリールの制御スイッチ操作によって各種携帯電子機器や電気器具本体を卓上あるいはポケットなどに入れたままで機器の操作が可能となることを特徴とする制御スイッチ付きリード線巻き取り装置。
【請求項２】
請求項１に加えて請求項１に記載のリード線巻き取りリール中央部につばを設け、その鍔によって仕切られた二種の異なる直径を持つ二段構造の捲胴とすることによって、各々の円周を持つ捲胴に同一の回転方向に巻装された二本のそれぞれのリード線が捲胴の回転により延出するリード線の長さを機器の使用条件に適応した比率となるように各々の捲胴の直径を調整することによって、制御スイッチ付きリード線巻き取り装置を各種携帯電子機器や電気器具本体から引き出して使用する場合に制御スイッチ付きリード線巻き取り装置が各種携帯電子機器や電気器具と付属機器間のリード線上で予め定めた適切な位置で機能することを特徴とする制御スイッチ付きリード線巻き取り装置。
【請求項３】
請求項１に加えて請求項１に記載のリード線巻き取りリールを各々リード線を逆回転方向に巻装し、同一回転軸に並列に配置した近接する捲胴両側円盤状鍔に共同回転維持溝を備えたな二個のリード線巻き取りリールで構成し、
前記各々のリード線巻き取りリールが個別に回動可能となるように、前記共同回転維持溝を常には引き離すように設置したセパレートスプリングと、
前記各々のリード線巻き取りリールの共同回転維持溝を持たない側の捲胴両側円盤状鍔に、それぞれ巻装するリード線端子を接続するように、リード線分配端子数に対応する異なった直径で各々捲胴の回転中心軸と同心円帯状の金属帯を設置した通電板と、
前記各々逆回転方向にリード線が巻装されたリード線巻き取りリール内に、常には各々のリード線を巻き取るように最外端をそれぞれの捲胴内周壁に逆方向に固定した渦巻きバネと、
前記各々のリード線巻き取りリールを逆方向に任意の回転位置で係止あるいは開放し各々のリード線の長さを自由に調節するためのフックと、
で構成するリード線巻き取りリールと、
そのリード線巻き取りリールを自在に回動すると供に、前記各々のリード線巻き取りリールを軸方向にスライドできるような稼動スリーブを備え、同様に軸方向にスライド可能に前記渦巻きバネ中心部を保持した軸と、
その軸両端にリード線巻き取りリールの鍔と平行で、前記軸の稼動スリーブに勘合し軸のスライドを運動を受け入れるも回転を抑止する機構を備えるリールケースと、
そのリールケース内側に設置され前記各々の鍔のフックに勘合し、前記リード線巻き取りリールを個別に任意の回転位置で係止あるいは開放するオートロック機構のストッパーと、
前記リールケース外殻に設置されリード線巻き取り、あるいは引き出し時に前記リード線の絡みつきを防止するリード線ガイド孔を持ち、前記電子機器や電気器具本体に収納する際着脱に好適な外形であると同時に、各種付属機器リード線ガイド孔側は各種付属機器を直接装着して使用できる形状で、リールケース面をスライド可能な二個のリード線ガイドと、
前記リールケース内側に設置され前記各々の鍔の同心円帯状の通電板に接触し通電する前記通電板の数に応じた二組の接点と、
その二組の接点から得られるリード線の電気信号を制御し、電源、ボリューム及び各種機能操作をコントロールする制御スイッチを備える制御スイッチ付きリード線巻き取り装置と、
その制御スイッチ付きリード線巻き取り装置リールケースの外形に合致適合し着脱自在な勘合機構を有する各種携帯電子機器や電気器具本体と、
を含み、
使用状況に従い独立して機能する二個の巻き取りリールによって、両端のリード線の長さを自在に調節可能とし、更に各種携帯電子機器や電気器具と付属機器を接続するリード線全長を設定後にリールケース可動軸維持スリーブを備えるリールケース軸を軸方向に移動圧接し常にはセパレートスプリングによって引き離された状態にある二個のリールが共同回転維持溝によって一体化し、リード線の全長をそのままに両端のリード線長比率を変更可能とすることによって、制御スイッチ付きリード線巻き取り装置を付属機器側に最大に移動し付属機器と制御スイッチ付きリード線巻き取り装置を合体させリード線を各種携帯電子機器や電気器具と制御スイッチ付きリード線巻き取り装置間のみ延出させて状態で片手でスイッチ操作と付属機器の使用を可能とし、逆に、制御スイッチ付きリード線巻き取り装置を各種携帯電子機器や電気器具側に最大に移動することによって、各種携帯電子機器や電気器具と制御スイッチ付きリード線巻き取り装置を衣服のポケット内などに挿入した状態で機器を使用する場合にポケット内でのリード線の絡みつきを防止し、収納時には過不足なくリード線を巻き取り各種携帯電子機器や電気器具本体に収納の上、携帯性に寄与することを特徴とする制御スイッチ付きリード線巻き取り装置。
【発明の詳細な説明】
【０００１】
【発明の属する技術分野】
本発明は、携帯電動器具のコード巻き取り装置および起動スイッチに関するものである。
【０００２】
【従来の技術】
一般に、携帯電子機器や電動器具に付属するイヤフォンあるいはマイク、モータ駆動部などのリード線を有する機器は、本体に内蔵されたリールに巻き取る機構を備えるか、各種付属機器を携帯電子機器や電動器具から分割取り外しの上リール機構に巻き取り収納して携帯性の向上を図っており、特に携帯電子機器や電動器具とイヤフォンあるいはマイク、モータ駆動部など各種付属機器間のリード線上に操作スイッチ機構を有するものではリード線を巻き取り収納の上一体化して携帯性を向上させたものは見られなかった。
【０００３】
【発明が解決しようとする課題】
しかしながら、前述の如く、本体内部に巻き取り装置を内蔵する場合は、本体と各種接続機器とを接続するリード線中間部に手元スイッチ操作および電源スイッチ機構を設けることは困難であり、リード線を引き出した状態で手元スイッチを使用上好適な位置に設置するかあるいは自在に設置位置の変更をすることはさらに困難であった。本発明は、斯かる実情に鑑み、リード線により接続する付属機器を備える各種携帯電子機器や電気器具において、携帯性の向上と携帯時にリード線の絡まりつき防止のためにリード線を本体内に収納する構造でありながら携帯電子機器や電動器具とイヤフォンあるいはマイク、モータ駆動部など各種付属機器間のリード線上に操作スイッチ機構および電源スイッチ機構を備えた上で、しかも使用条件に好適な位置に前記操作スイッチ機構および電源スイッチ機構を設置するか、あるいは自在に設置位置を変更可能とした上で本体にコンパクトに収納可能な制御スイッチ付きリード線巻き取り装置を提供しようとするものである。
【０００４】
【課題を解決するための手段】
本発明は各種携帯電子機器や電気器具と、前記各種携帯電子機器や電気器具のイヤフォンやマイク、モータ駆動部などの付属機器を接続するリード線上にリード線巻き取りリール設置し、電子機器や電気器具の電源、ボリュームコントロール及び各種機能操作をするためのスイッチ類を制御するリード線電流を、巻き取りリール回転中心軸と同心円帯状の通電接点と、前記巻き取りリールを任意の回転位置で係止あるいは開放し両端のリード線の長さを自由に調節するためにリード線巻き取りリール内に常にはリード線をリールに巻き取る回転方向に作用する渦巻きバネとリール回転ストッパーを装着したリード線巻き取りリールの通電接点と接点によって電源、ボリューム及び各種機能操作をコントロールするスイッチを備え、巻き取りリールの回転中心軸を保持しつつ外殻にリード線巻き取り、あるいは引き出し時に前記リード線が絡み合うことのないように、一端を各種付属機器収納に他端を前記電子機器や電気器具本体に収納する際に好適な形状になるように設置された二個のリード線ガイドを設置したことを特徴とする制御スイッチ付きリード線巻き取り装置と、前記リード線巻き取りリールを二種の異なった巻き取り円周半径を持つ二段構造とすることによって、リード線を本体から引き出して使用する場合、制御スイッチ付きリード線巻き取り装置が各種携帯電子機器や電気器具と付属機器を接続するリード線上の適切な位置で機能することを特徴とする制御スイッチ付きリード線巻き取り装置にかかるものである。
【０００５】
上記手段によれば、以下のような作用が得られる。
【０００６】
【発明の実施の形態】
以下、本発明の実施の形態を図示例と共に説明する。
【０００７】
図１、図２、は発明を実施する形態の一例であって、図中、図と同一の符号を付した部分は同一物を表わしており、基本的な構成要素は図に示すように従来のものと同様であるが、本図示例の特徴とするところは、図１に示す如く、制御スイッチを設置したリード線巻き取りリールとイヤフォンやマイク、モータ駆動部などの付属機器を携帯電子機器あるいは電気器具本体２に着脱自在に装着した点にある。
この制御スイッチ付きリード線巻き取り装置１は、両側に円盤状の鍔７を持つ捲胴に同一方向に巻装した前記各種携帯電子機器や電気器具本体２に接続したリード線６の分配端子を、一方の鍔７外側面上に設置したリード線巻き取りリール２３回転中心軸と同心円帯状のリード線分配端子数に対応する異なった直径の金属帯にそれぞれ接続した通電板８と、常にはリード線を捲胴に巻き取る回転方向に作用するように最外端を捲胴内周壁に固定した渦巻きバネ９と、前記捲胴を二本のリード線延出時に任意の位置で係止あるいは開放するためするために一方の鍔外側に設置したフックとで構成するリード線巻き取りリールが自在に回動するように保持し、その渦巻きバネ中心部を固定したリールケース軸部１ｃ両端を鍔７と平行にリールケース上蓋部１ａとリールケース裏蓋部１ｂで保持し、リールケース裏蓋部１ｂ内側に設置されたオートロックストッパー２０が鍔７のフックに勘合しリード線巻き取りリール２３を任意の回転位置で係止あるいは開放する。
リールケース外殻に設置されたリード線ガイド孔１５を有するリード線ガイド３はリード線巻き取り、あるいは引き出し時に前記リード線の絡みつきを防止する。リード線ガイド３は、電子機器や電気器具本体に収納する際着脱に好適な外形をしている。
また、リールケース上蓋部１ａは内側に同心円帯状の通電板８に接触し通電する通電板の数に応じた接点から得られるリード線の電気信号を制御する制御スイッチ５を備え、電源、ボリューム及び各種機能操作をコントロールする。
【０００８】
次に、上記図示例のそれぞれの特徴的な作動を説明する。
【０００９】
こうして、図１、図２に示すように制御スイッチ付きリード線巻き取り装置１は、携帯電子機器あるいは電気器具本体２に着脱自在に適合する形状を備え、イヤフォン４はイヤフォン収納凹部１０に着脱自在に収納されているので携帯時にはリード線を外部に露出することなく付属機器もコンパクトに収納可能である。
最も単純な機構では、図６に示すように、イヤフォン４を携帯電子機器あるいは電気器具本体２に装着した状態で制御スイッチ付きリード線巻き取り装置１をリード線６が使用に好適な長さとなるように引き出し、図１０に示すように、イヤフォン４をイヤフォン収納凹部１０から取り出して頭部１４の両耳に装着すれば携帯電子機器あるいは電気器具本体２を右手１３で保持するかポケットなどに入れたまま左手１２でリード線６上の制御スイッチ５を操作して音楽を楽しむことが出来る。
同様に、使用終了時にはイヤフォン４を携帯電子機器あるいは電気器具本体２に装着の後、リード線６を伸長方向に引くことによってオートロックストッパー２０が作動して自動的にリード線６はリード線ガイド孔１５を備えるリード線ガイド３によって絡みつくことなく制御スイッチ付きリード線巻き取り装置１に巻き込まれ携帯電子機器あるいは電気器具本体２と合体し携帯性を向上させる。
この制御スイッチ付きリード線巻き取り装置１の機構は、携帯電子機器あるいは電気器具の仕様上の要求によって図４に示すように、リード線巻き取りリール捲胴小直径部２３ａとリード線巻き取りリール捲胴大直径部２３ｂの二段構造のリード線巻き取りリールとすれば、それぞれの捲胴の円周の差によって巻装リード線の長が異なる場合にも両端のリード線６を余すことなく制御スイッチ付きリード線巻き取り装置１に収納の上携帯電子機器あるいは電気器具本体２に収めることが出来る。このリール上蓋７ｃにはリール回転軸中心に対して同心円状にリード線制御端子の数に従って装着された通電板８に各リード線端子がリード線貫通孔１６を貫通して通電し、さらにリールケース上蓋部１ａ裏面の端子に接触通電することによってリールケース上蓋部１ａの制御スイッチ５により電源スイッチ、ボリュームコントロール及び各種機能操作を行う。
また、リールケース上蓋７ｃには、渦巻き中心部をリールケース軸スリット部１８に、他端をリールケース上蓋７ｃに固定した渦巻き板ばね９が装着されており常にはリード線６を巻き取る回転方向にリード線巻き取りリール２３を回転せしめるモーメントを発揮すると供に、ストッパーによって任意の位置でも（希望するリード線の長さ位置で）係止あるいは開放することが可能である。
この場合も同様に、使用終了時にはイヤフォン４を携帯電子機器あるいは電気器具本体２に装着の後、両端のリード線を制御スイッチ付きリード線巻き取り装置１直近の部分を伸長方向に引くことによって２０が作動して自動的に両端のリード線６は、それぞれ回転円周半径の異なる７ａ７ｂに巻き取られ１５を備える３によって絡みつくことなく制御スイッチ付きリード線巻き取り装置１に巻き込まれ携帯電子機器あるいは電気器具本体２と合体し、携帯性を向上させる。
上記の制御スイッチ付きリード線巻き取り装置１は後述の制御スイッチ付きリード線巻き取り装置１を含めて図１１に示すような携帯型電動はブラシ（電動歯間ブラシ）のような電気器具にも応用可能である。
このリード線巻き取りリール２３の機構をさらに発展させたものが図５に示すような制御スイッチ付きリード線巻き取り装置１である。この制御スイッチ付きリード線巻き取り装置１のリード線巻き取りリール２３を利用すれば、水周りで使用される頻度の高い口腔衛生電動器具に対応して付属器具側のリード線６の長さを必要とする場合、あるいは携帯電子機器あるいは電気器具を長時間に渡って使用するために携帯電子機器あるいは電気器具本体２側のリード線６のみ巻き取った状態で携帯電子機器あるいは電気器具本体２に制御スイッチ付きリード線巻き取り装置１が装着された状態でイヤフォン４などの付属機器を使用する場合は、さらに制御スイッチ付きリード線巻き取り装置１の機能を発展させた図５に示すような制御スイッチ付きリード線巻き取り装置１が有用である。
図５の様に制御スイッチ付きリード線巻き取り装置１両端のリード線６はそれぞれに通電板８と、対敵方向に時計回り渦巻き板ばね９Ａ、反時計回り渦巻き板ばね９ｂを装着し、リールケース上蓋部１ａ、リールケース裏蓋部１ｂに別個のオートロックストッパー２０を持ち、常にはセパレートスプリング２２によって独立した第一リール部７ａ、第二リール部７ｂに対敵方向に巻き取り収納される構造となっている。
実際に使用する際には、図６のように制御スイッチ付きリード線巻き取り装置１を引き出してリード線６を延出させた上で、図９に示すように、携帯電子機器あるいは電気器具本体２側に制御スイッチ付きリード線巻き取り装置１を移動させたい場合は制御スイッチ付きリード線巻き取り装置１を指圧で摘むように圧縮してやればリールケース可動軸維持スリーブ２３によりセパレートスプリング２２が圧縮され事によって共同回転維持溝２１が第二リール部７ｂに合致して第一リール部７ａ、第二リール部７ｂ、リール上蓋７ｃが一体化し、携帯電子機器あるいは電気器具本体２とイヤフォン４間のリード線６の全長を維持したままで制御スイッチ付きリード線巻き取り装置１の位置を移動することが可能となる。
勿論制御スイッチ付きリード線巻き取り装置１の制御スイッチ５はリード線６上のいかなる位置でも携帯電子機器あるいは電気器具本体２の機能を操作可能であるので、長時間に渡って電気器具を使用する場合は、図９に示すように携帯電子機器あるいは電気器具本体２と制御スイッチ付きリード線巻き取り装置１の間のリード線６を完全に制御スイッチ付きリード線巻き取り装置１に巻取ることによって衣服のポケット内などでリード線６の絡みつきを防止するだけでなく、図１１の様な電動歯間ブラシ応用例では制御スイッチ付きリード線巻き取り装置１を電動歯間ブラシ１７から引き離すことによって被水などによる制御スイッチ５の破損を可及的に防止することが可能となる。
逆に、図８に示すように電動歯間ブラシ１７側のリード線６を完全に制御スイッチ付きリード線巻き取り装置１に巻き込んで一方のリード線ガイド３に装着してやると右手１３だけで制御スイッチ付きリード線巻き取り装置１の制御スイッチ５を操作しながら電動歯間ブラシ１７で口腔清掃することが出来る。
尚、本発明の携帯電子機器あるいは電気器具本体２と制御スイッチ付きリード線巻き取り装置１の形状、並びに制御スイッチ付きリード線巻き取り装置１に設置されるリード線ガイド３及び制御スイッチ５の位置と形状および方式は、上述の図示例にのみ限定されるものではなく、特にリード線ガイド３の位置は回転自在に回転することによってその位置を引き出し時と収納時で可変式とする、あるいは付属機器が直接装着可能な構造とするなど本発明の要旨を逸脱しない範囲内において種々変更を加え得ることは勿論である。
【００１０】
【発明の効果】
以上、説明したように本発明の請求項１〜３記載の制御スイッチ付きリード線巻き取り装置によれば、各種携帯電子機器や電気器具本体に一体化されたリード線巻き取りリールにより収納時にリード線が絡みつくことの無い高い携帯性備え、使用時には本体からリード線巻き取りリールを引き出すだけで瞬時に使用可能となり、しかもリード線巻き取りリールの制御スイッチ操作によって各種携帯電子機器や電気器具本体を卓上あるいはポケットなどに入れたままで機器の操作が可能となるばかりか、リード線巻き取りリールを二種の異なった巻き取り円周半径を持つ二段構造とすることによって、制御スイッチ付きリード線巻き取り装置が各種携帯電子機器や電気器具と付属機器を接続するリード線上の適切な位置で機能させることも可能であり、使用状況によっては、独立して機能する二個の巻き取りリール構造とすることによって、両端のリード線の長さを自在に調節可能となるので、各種携帯電子機器や電気器具と付属機器を接続するリード線全長を設定後にリールケース可動軸維持スリーブを備えるリールケース軸を軸方向に移動することによって、常にはセパレートスプリングによって引き離され他状態にある二個のリールが共同回転維持溝によって圧接一体化し、リード線の全長をそのままに両端のリード線長比率を変更可能となるので、携帯電子機器あるいは電気器具本体と制御スイッチ付きリード線巻き取り装置を一体化して付属機器側のリード線のみ延出した状態で使用することが可能となり、逆に制御スイッチ付きリード線巻き取り装置を付属機器側に移動させ電動歯間ブラシのような超小型の電動器具を制御スイッチ付きリード線巻き取り装置に装着可能な構造にすることによってスイッチ操作とブラッシング動作に両手を使用することなく制御スイッチ付きリード線巻き取り装置と接続された歯間ブラシによって、片手でスイッチ操作しながらブラッシングがかのうとなり、使用後にブラシを水洗する場合には制御スイッチ付きリード線巻き取り装置を電気器具側に移動させて安全にすることが可能であり、収納時には過不足なくリード線を巻き取り各種携帯電子機器や電気器具本体に収納の上、携帯性に寄与するという優れた効果を奏し得る。
【図面の簡単な説明】
【図１】制御スイッチ付きリード線巻き取り装置式携帯電子機器を示す正面図
【図２】図１の制御スイッチ付きリード線巻き取り装置式携帯電子機器の側面図
【図３】図１の制御スイッチ付きリード線巻き取り装置分解図
【図４】異なったリール円周制御スイッチ付きリード線巻き取り装置分解図
【図５】二段リール式制御スイッチ付きリード線巻き取り装置分解図
【図６】図１の制御スイッチ付きリード線巻き取り装置を携帯電子機器本体から引き出した状態を示す図
【図７】二段リール式制御スイッチ付きリード線巻き取り装置位置を歯間ブラシ側へ移動させる状況を示す図
【図８】二段リール式制御スイッチ付きリード線巻き取り装置位置を歯間ブラシ側へ最大移動させ、二段リール式制御スイッチ付きリード線巻き取り装置に歯間ブラシ位置を装着して片手で制御スイッチをコントロールしながら口腔清掃を行う状況を示す図
【図９】イヤフォン側リード線を制御スイッチ付きリード線巻き取り装置から引き出し、携帯電子機器側リード線を縮小し、制御スイッチ付きリード線巻き取り装置を携帯電子機器に装着一体化しようとする状況を示す図
【図１０】制御スイッチ付きリード線巻き取り装置式携帯電子機器の制御スイッチ付きリード線巻き取り装置の制御スイッチ使用状況を示す図
【図１１】左手で制御スイッチ付きリード線巻き取り装置の制御スイッチ操作しながら右手で制御スイッチ付きリード線巻き取り装置式携帯電動歯間ブラシ使用する状況を示す図
【符号の説明】
１、制御スイッチ付きリード線巻き取り装置
１ａ、リールケース上蓋部
１ｂ、リールケース裏蓋部
１ｃ、リールケース軸部
２、携帯電子機器あるいは電気器具本体
３、リード線ガイド
４、イヤフォン
５、制御スイッチ
６、リード線
７、鍔
７ａ、第一リール部
７ｂ、第二リール部
７ｃ、リール上蓋
７ｄ、第一リール上蓋
８、通電板
９ａ、時計回り渦巻き板ばね
９ｂ、反時計回り渦巻き板ばね
９、渦巻き板ばね
１０、イヤフォン収納凹部
１１、歯間ブラシ収納凹部
１２、左手
１３、右手
１４、頭部
１５、リード線ガイド孔
１６、リード線貫通孔
１７、電動歯間ブラシ
１８、リールケース軸スリット部
１９、制御用電源接点
２０、オートロックストッパー
２１、共同回転維持溝
２２、セパレートスプリング
２３、リード線巻き取りリール
２３ａ、リード線巻き取りリール捲胴小直径部
２３ｂ、リード線巻き取りリール捲胴大直径部
２３ｃ、第一リード線巻き取りリール
２３ｄ、第二リード線巻き取りリール
【図１】
2004214993.tif 000003
【図２】
2004214993.tif 000004
【図３】
2004214993.tif 000005
【図４】
2004214993.tif 000006
【図５】
2004214993.tif 000007
【図６】
2004214993.tif 000008
【図７】
2004214993.tif 000009
【図８】
2004214993.tif 000010
【図９】
2004214993.tif 000011
【図１０】
2004214993.tif 000012
【図１１】
2004214993.tif 000013